(57)【要約】【課題】ベルト間に紙幣束を挟んで搬送する際に、Ｕ字反転経路において発生する内外ベルト間の周速差によって紙幣束が非整列状態となって搬送され、そのまま紙幣収納部内に不揃いの状態で導入、堆積される不具合を解決する。【解決手段】内側ベルト６３と外側ベルト７３との間に形成される搬送領域Ｔによって紙葉束を挟持しつつ搬送する紙葉束搬送機構において、内側ベルトユニット６１を構成する一つの反転ローラ６２ａの外周に外側ベルトが存在しない開放部Ｏを設け、開放部には反転ローラの外周面と対向する円弧状のガイド部材８０を配置した。【選択図】図２
2008146256.tif 000002
【特許請求の範囲】
【請求項１】
複数のローラ、及び該複数のローラによってエンドレスに張設され且つ駆動されることによって走行する内側ベルトを有した内側ベルトユニットと、
前記内側ベルトの外側走行面に近接配置されて同方向に走行する内側走行面を有した外側ベルト、及び該外側ベルトをエンドレスに張設して駆動する複数のローラを有した外側ベルトユニットと、を有し、
前記内側ベルトと外側ベルトとの間に形成される搬送領域によって紙葉束を挟持しつつ搬送する紙葉束搬送機構において、
前記内側ベルトユニットを構成する一つの反転ローラの外周に前記外側ベルトが存在しない開放部を設け、該開放部には該反転ローラの外周面と対向する円弧状のガイド部材を配置したことを特徴とする紙葉束搬送機構。
【請求項２】
前記外側ベルトユニットは、前記開放部を間に挟んで対向配置された２つのローラに夫々巻掛けられた２つの外側ベルトを有していることを特徴とする請求項１に記載の紙葉束搬送機構。
【請求項３】
金種の異なる紙幣を複数枚一括して、或いは一枚ずつ受入れ可能な入金取込部と、該入金取込部から受け入れられた紙幣を装置本体内に搬送する搬送経路と、該搬送経路に沿って紙幣を搬送する駆動力を生成する搬送機構と、該搬送経路と接続されて第１の金種に係る第１の紙幣を出入れ自在に収容するスイッチバック還流式の第１の紙幣収納部と、該搬送経路と接続されて第２の金種に係る第２の紙幣を出入れ自在に収容するスイッチバック還流式の第２の紙幣収納部と、該搬送経路を経由して搬送されてきた紙幣を一枚ずつ受け入れて堆積すると共に堆積した紙幣束を一括して該搬送経路に送出する一時保留部と、これらを制御する制御手段と、を備えた還流式紙幣処理装置であって、
前記制御手段は、前記第１の紙幣収納部内の第１の紙幣を一枚ずつ送出して前記一時保留部に所定枚数堆積させた後で、該一時保留部内の第１の紙幣束を前記第２の紙幣収納部内に一括搬送する動作を繰り返すことにより、前記第１の紙幣収納部内に収容された全ての第１の紙幣を前記第２の紙幣収納部に移送するように制御し、
前記搬送経路中に設けられたＵ字状の搬送経路に、請求項１又は２に記載の紙葉束搬送機構を配置したことを特徴とする還流式紙幣処理装置。
【発明の詳細な説明】
【技術分野】
【０００１】
本発明は例えば貨幣を入出金する機能を備えた各種自動販売機、入出金装置、両替機等の貨幣取扱装置に装備される紙幣処理装置の改良に関し、詳細には金種別に紙幣を収容する還流式紙幣収納部を複数備えた還流式紙幣処理装置において、終業時等に全紙幣を一つの紙幣収納部等に回収する作業を迅速化するための技術に関するものである。特に、紙幣束を搬送する経路中に含まれるＵ字搬送経路の存在に起因して直線搬送経路を搬送される紙幣束に発生する紙幣ずれを防止する技術に関するものである。
【背景技術】
【０００２】
投入された紙幣を受け入れる入金機能や、釣り銭や払出し金として紙幣を払い出す出金機能を備えた紙幣処理装置は各種自動販売機、入出金装置、両替機等に装備されており、この紙幣処理装置には始業時に準備した紙幣、或いは稼働中に投入された紙幣を金種別に保管するための紙幣収納部が装備されている。
この種の紙幣処理装置において、終業時等に装置本体内に残った全ての紙幣を回収する際に、金種別の紙幣収納部内に夫々収容された紙幣束を機外に個別に取り出すとすれば、全ての紙幣収納部をカセット式に構成して機外に出入れ自在にする必要があるが、このように構成すると紙幣収納部の大型化を招くばかりでなく、回収作業が繁雑化、長時間化する。
【０００３】
上記の如き不具合に対処するために、従来例えば千円紙幣、五千円紙幣、及び一万円紙幣を取り扱う還流式紙幣処理装置において、各紙幣の金種毎に対応する還流式紙幣収納部を備え、且つ、紙幣の補充・回収のための紙幣アクセスを行う機能を千円紙幣収納部に担わせたものがある。
なお、還流式の紙幣収納部とは、始業時に予め収納しておいた紙幣のみならず、装置の稼働中に利用者が投入した紙幣を一旦収納する一方で、この紙幣を釣銭等とするために外部へ繰り出す（排出する）機能を備えたタイプの紙幣収納部を指称する。また、還流式の紙幣収納部にはループ方式とスイッチバック方式がある。ループ方式は紙幣の入口（受入れ方向）と出口（繰り出し方向）を異ならせた方式であり、スイッチバック方式とは同じ出入り口から紙幣の受け入れと繰り出しを行う方式である。
【０００４】
図３は従来のスイッチバック方式の還流式紙幣処理装置の構成を示す。
この紙幣処理装置１０１は、還流式の紙幣処理機構１０２と、この紙幣処理機構を内部に収容する外装体１０３と、から概略構成されている。
紙幣処理機構１０２は、金種の異なる紙幣を複数枚一括して、又は一枚ずつ受入れ可能な入金取込部１０４と、入金取込部１０４から受け入れられた紙幣を装置内に搬送する搬送経路１０５と、搬送経路１０５に沿って紙幣を搬送するための駆動力を生成、伝達するローラ、ベルト、分岐ゲート、モータ、ソレノイド等から成る搬送機構１１０と、入金取込部１０４の直下流側の搬送経路上に配置されて一枚ずつ給送されてくる紙幣の真贋、金種を判定する識別装置１１５と、搬送経路１０５と接続されて第１の金種に係る第１の紙幣（例えば、一万円紙幣）を出入れ自在に収容する還流式の第１の紙幣収納部１２０と、搬送経路１０５と接続されて第２の金種に係る第２の紙幣（例えば、千円紙幣）を出入れ自在に収容する還流式の第２の紙幣収納部１２２と、紙幣を釣銭等として装置外に排出すると共に複数枚の紙幣を堆積させて保留する機能を有した出金保留部１３０と、これらを制御する制御手段１４０と、を備えている。
【０００５】
入金取込部１０４は一括投入された複数枚の紙幣を一枚ずつに分離しながら搬送経路１０５に送り出すための分離給送機構を備えている。
搬送機構１１０は、入金取込部１０４から一枚ずつ給送された紙幣を金種別に第１、又は第２の紙幣収納部１２０、１２２に送り込む仕分け搬送機能と、第１、又は第２の紙幣収納部１２０、１２２から夫々一枚ずつ送り出されてきた紙幣を出金保留部１３０に搬送する機能と、を併有している。搬送機構１１０は図示しないローラ、ベルト、第１及び第２の分岐ゲート１１１、１１２と、これらの可動部品を駆動するためのモータ、ソレノイド等から構成されており、制御手段１４０からの制御によって各ローラ、ベルト、分岐ゲートが駆動されることにより、所定のタイミングにて各搬送機能を実現することができる。
【０００６】
第１の紙幣収納部１２０は、第１の紙幣、例えば一万円紙幣専用であり、搬送経路１０５を経由して一旦受け入れた一万円紙幣を搬送経路１０５に一枚ずつ送出する還流機能を有している。
第２の紙幣収納部１２２は、第２の紙幣、例えば千円紙幣専用であり、搬送経路１０５を経由して一旦受け入れた千円紙幣を搬送経路１０５に一枚ずつ送出する還流機能を有している。第２の紙幣収納部１２２は、機外に引出し可能なカセットタイプになっており、終業時には第１の紙幣収納部１２０に収納された第１の紙幣を順次第２の紙幣収納部１２２に送込んで集積することによって、第２の紙幣収納部１２２を利用して全紙幣を一括して機外に取り出すことができる。
なお、この従来例に係る還流式紙幣処理装置は、可能な限り小型化することを前提とした構成となっているが、分岐ゲート１１１、１１２による方向転換部は小さな曲率のＵ字ターン等の湾曲搬送が困難であるため、分岐ゲートによる方向転換部は大きな曲率の湾曲経路とならざるを得ず、搬送経路１０５の横幅の減縮に限界がある。
【０００７】
この紙幣処理装置を備えた自動販売機の運用が終了した時点で、第１の紙幣収納部１２０に収納されている紙幣を第２の紙幣収納部１２２に一枚ずつ自動的に移送した後、作業員は、第２の紙幣収納部１２２を引き出して売上代金（全ての紙幣）を回収する。
第１の紙幣収納部１２０から紙幣を第２の紙幣収納部１２２に移送、収納する動作としては、例えば、第１の紙幣収納部１２０に収納されている紙幣束から一万円紙幣１枚を分離して搬送経路１０５に繰出し、搬送経路上のＲ点まで移動した後で、逆搬送して分岐ゲート１１２により経路を変えて第２の紙幣収納部１２２に移送する。
なお、始業時には釣銭として使用する千円紙幣を所定枚数だけ第２の紙幣収納部１２２にセットすれば足りるため、作業員による紙幣へのアクセス箇所を一箇所に制限してセキュリティ性を向上させると同時に、作業員の負担を軽減している。
しかしながら、上記従来のスイッチバック還流方式の紙幣処理装置にあっては、第１の紙幣収納部から第２の紙幣収納部１２２に回収作業を行う際に、第１の紙幣収納部から一枚ずつ搬送経路に送り出した各紙幣をＲ点で逆転搬送して移送処理する方式を採らざるをえないために、回収時間が長期化するという問題があった。
【０００８】
回収時間を短縮するための改善策としては図５に示したように第２の紙幣収納部１２２の出入り口に接続した搬送経路分岐点にトリプル分岐ゲート１１４を設けることで、第１の紙幣収納部１２０の収納紙幣を、一枚ずつ連続的に第２の紙幣収納部１２２に移送することができる。
しかしながら、トリプル分岐ゲート１１４を実際に組み込む場合、紙幣の湾曲搬送にはかなり大きな曲率が必要であり、且つ、極めて複雑、且つ大型の搬送機構となるため、還流式紙幣処理装置の大型化、高コスト化が避けられなかった。
特許文献１には、金種別の紙幣収納部と、大容量の補充・回収紙幣収納部と、を備え、終業時には各紙幣収納部内の全紙幣を補充・回収紙幣収納部内に一枚ずつ送り込むことによって、補充・回収紙幣収納部から全紙幣を取り出すことができるようにした紙幣出金機が開示されている。
【０００９】
しかし、この従来例にあっては、各紙幣収納部に収納された多量の紙幣を一枚ずつ補充・回収紙幣収納部に移送する作業が必要となるため、回収作業に長時間を要するという問題がある。また、複数の紙幣収納部とは別個に大型の補充・回収紙幣収納部を装置内に配置する必要があるために、紙幣収納、搬送のための機構が複雑化するばかりでなく、装置が大型化するという欠点があった。また、紙幣の入口と出口を別々に備える金種別紙幣収納部を用いたループ方式の還流式紙幣処理装置であるため、複雑な搬送経路を有した大型の還流式紙幣処理装置となっている。
各種紙幣処理装置に対する小型化の要請が高まる中で、このような大型化をもたらす構成は採用することが困難である。
【００１０】
次に、図３、図４に示した紙幣処理装置の搬送経路１０５中にはＵ字状に反転したＵ字反転経路１０５Ｕが含まれている。このＵ字反転経路１０５Ｕを構成する搬送機構部分は、例えば図５（ａ）の具体的構成図に示すように複数のローラ１５１、及び複数のローラ１５１によってエンドレスに張設され駆動されることによって走行する内側ベルト１５２を有した内側ベルトユニット１５０と、内側ベルト１５２の外側走行面１５２ａに近接配置されて同方向に走行する内側走行面１６２ａを有した外側ベルト１６２、及び外側ベルトをエンドレスに張設する複数のローラ１６１を有した外側ベルトユニット１６０と、を有しており、外側走行面１５２ａと内側走行面１６２ａとの間に形成される搬送領域Ｔ（Ｕ字搬送領域Ｔ１、直線搬送領域Ｔ２）によって一枚の紙幣、又は紙葉束Ｓを挟持しつつ搬送するように構成されている。
Ｕ字搬送領域Ｔ１は、反転ローラ１５１ａの外周面に対して内側ベルト１５２と外側ベルト１６２を順次重ねて巻き掛けた構成を有し、両ベルト１５２、１６２は共に反転ローラ１５１ａの駆動力によって走行している。外側ベルト１６２はその厚み分だけ反転ローラ１５１ａの回転中心から離間した位置にあるため、外側ベルトの周速Ｖ１は、内側ベルト１５２の周速Ｖ２よりも速くなっている。Ｕ字反転領域Ｔ１内を紙幣束が搬送される際には内外のベルト間に強く挟圧されているために紙幣間がずれを起こすことはないが、直線搬送領域Ｔ２では内外のベルトは軽く接しているに過ぎず、紙幣束に対して強い挟圧力が発生しない。このため、図５（ｂ）に示すように直線搬送領域Ｔ２を搬送される紙幣束Ｓを構成する外側の紙幣の方が内側の紙幣よりも早く前進するずれが発生し、紙幣束が平行四辺形状（楔状）に変形した状態で搬送される。このようにずれを起こした紙幣束を紙幣収納部に導入すると、紙幣収納部内の紙幣堆積部材上における積層状態が悪化する原因となる。
【特許文献１】特開２００２−２６００５９公報
【発明の開示】
【発明が解決しようとする課題】
【００１１】
以上のようにスイッチバック式の紙幣収納部を複数備えた紙幣処理装置にあっては、終業時に各紙幣収納部内に残留した全紙幣を一つの還流式紙幣収納部に一枚ずつ移送する必要があるため、搬送機構が大型化するという問題と、回収時間の短縮化に限界があるという問題があった。回収時間を短縮化するためにトリプル分岐ゲート等の複雑、大型の搬送機構を付加すると更に大型化、高コスト化するという問題があった。
また、紙幣束を搬送する搬送機構としてローラとベルトから成る構成を採用し、しかも搬送経路中にＵ字反転経路が含まれる場合には、Ｕ字反転領域を構成する内側ベルトと外側ベルトとの間に発生する周速差に起因して、直線搬送領域を搬送される間に紙幣束が変形を起こすという問題があった。
【００１２】
本発明は上記に鑑みてなされたものであり、金種別に複数の還流式紙幣収納部を備えた紙幣処理装置において、紙幣収納部の他に格別の回収専用カセットを装備することによる装置の大型化、高コスト化を招くことなく、小型化を積極的に図りつつ、終業時等において最短時間で各紙幣収納部から紙幣を一箇所に回収することができる還流式紙幣処理装置を提供することを目的としている。
更に本発明はベルト間に紙幣束を挟んで搬送する際に、Ｕ字反転経路において発生する内外ベルト間の周速差によって紙幣束が非整列状態となって搬送され、そのまま紙幣収納部内に不揃いの状態で導入、堆積される不具合を解決することを目的としている。
【課題を解決するための手段】
【００１３】
上記目的を達成するため、請求項１の発明に係る紙幣束搬送機構は、複数のローラ、及び該複数のローラによってエンドレスに張設され且つ駆動されることによって走行する内側ベルトを有した内側ベルトユニットと、前記内側ベルトの外側走行面に近接配置されて同方向に走行する内側走行面を有した外側ベルト、及び該外側ベルトをエンドレスに張設して駆動する複数のローラを有した外側ベルトユニットと、を有し、前記内側ベルトと外側ベルトとの間に形成される搬送領域によって紙葉束を挟持しつつ搬送する紙葉束搬送機構において、前記内側ベルトユニットを構成する一つの反転ローラの外周に前記外側ベルトが存在しない開放部を設け、該開放部には該反転ローラの外周面と対向する円弧状のガイド部材を配置したことを特徴とする。
反転ローラの外周に内側ベルトと外側ベルトを重ねて巻掛けることによって形成したＵ字搬送領域を有した紙幣束搬送機構においては、外側ベルトの周速が内側ベルトよりも速くなるために、直線搬送経路中において紙幣間の位置ずれが発生して搬送中における整列状態が悪化する。本発明では、反転ローラに巻掛けられた内側ベルトの外径方向に外側ベルトを配置せずに、固定されたガイド部材を配置したので、反転部における外側ベルトの増速に起因した直線経路中における紙幣束の整列性の悪化を防止することができる。
【００１４】
請求項２の発明は、請求項１において、前記外側ベルトユニットは、前記開放部を間に挟んで対向配置された２つのローラに夫々巻掛けられた２つの外側ベルトを有していることを特徴とする。
請求項３の発明に係る還流式紙幣処理装置は、金種の異なる紙幣を複数枚一括して、或いは一枚ずつ受入れ可能な入金取込部と、該入金取込部から受け入れられた紙幣を装置本体内に搬送する搬送経路と、該搬送経路に沿って紙幣を搬送する駆動力を生成する搬送機構と、該搬送経路と接続されて第１の金種に係る第１の紙幣を出入れ自在に収容するスイッチバック還流式の第１の紙幣収納部と、該搬送経路と接続されて第２の金種に係る第２の紙幣を出入れ自在に収容するスイッチバック還流式の第２の紙幣収納部と、該搬送経路を経由して搬送されてきた紙幣を一枚ずつ受け入れて堆積すると共に堆積した紙幣束を一括して該搬送経路に送出する一時保留部と、これらを制御する制御手段と、を備えた還流式紙幣処理装置であって、前記制御手段は、前記第１の紙幣収納部内の第１の紙幣を一枚ずつ送出して前記一時保留部に所定枚数堆積させた後で、該一時保留部内の第１の紙幣束を前記第２の紙幣収納部内に一括搬送する動作を繰り返すことにより、前記第１の紙幣収納部内に収容された全ての第１の紙幣を前記第２の紙幣収納部に移送するように制御し、前記搬送経路中に設けられたＵ字状の搬送経路に、請求項１又は２に記載の紙葉束搬送機構を配置したことを特徴とする。
還流式の紙幣収納部の一方を回収紙幣収納部として兼用することにより、装置全体形状を小型化することが可能となる。更に、一時保留部を利用した紙幣束単位の回収動作を実施できる構成としたことにより、搬送経路、及び搬送機構をシンプル化、小型化することができるため、装置全体形状を更に小型化することができる。
【発明の効果】
【００１５】
本発明によれば、金種別のスイッチバック還流式紙幣収納部を併設した構成において、一方の紙幣収納部に収納されている紙幣を他方の紙幣収納部に回収するに際し、集積機能だけを有したシンプルな構成の一時保留部を介在させた一括搬送を実施するようにしたので、装置の大型化を招くことなく、移送処理時間を短縮することができる。即ち、還流式紙幣収納部よりも構成が簡素な一時保留部を用い、移送すべき収納紙幣を一時保留部へ１枚ずつ送り込んで所定枚数集積させ、集積した紙幣束をそのまま同じ搬送経路上に繰出して、回収紙幣収納部を兼ねた紙幣収納部に束搬送するようにしたので、紙幣の移送処理にかかる時間を短縮することができる。
また、Ｕ字搬送領域と直線搬送領域を含む搬送機構において、反転ローラの外周に重ねて巻き掛けた内側ベルトと外側ベルトとの間にＵ字搬送領域が形成される場合、外側ベルトの周速が内側ベルトを上回り、この周速差が直線搬送領域を構成する内外ベルトに伝搬する。このため、直線搬送領域を搬送される紙幣束を構成する紙幣間にずれが発生して紙幣束が変形して搬送される。本発明では、反転ローラの外周に外側ローラを巻掛ける代わりに、円弧状に湾曲したガイド部材を配置して紙幣束をガイドするようにしたので、内外のベルト間に周速差が発生しなくなる。
【発明を実施するための最良の形態】
【００１６】
以下、本発明を図面に示した実施の形態により詳細に説明する。
図１は本発明の一実施形態に係る紙幣処理装置の概略構成図である。
この紙幣処理装置１は、例えば食券等の自動販売機（券売機）に装備されて紙幣の受け入れ、釣銭等としての紙幣の払い出しの処理を行う機能を有する。
紙幣処理装置１は、還流式の紙幣処理機構２と、この紙幣処理機構２を内部に収容する外装体３と、から概略構成されている。
紙幣処理機構２は、金種の異なる紙幣を複数枚一括して、又は一枚ずつ受入れ可能な入金取込部４と、入金取込部４から受け入れられた紙幣を装置本体内に搬送する搬送経路５と、搬送経路５に沿って紙幣を搬送するための駆動力を生成、伝達するためのモータ、ソレノイド、及びローラ、ベルト、ゲートから成る搬送機構１０と、入金取込部４の直下流側の搬送経路上に配置されて一枚ずつ給送されてくる紙幣の真贋、金種を判定する識別装置１５と、搬送経路５と接続されて第１の金種に係る第１の紙幣を出入れ自在に収容するスイッチバック還流式の第１の紙幣収納部２０と、搬送経路５と接続されて第２の金種に係る第２の紙幣を出入れ自在に収容するスイッチバック還流式の第２の紙幣収納部２５と、搬送経路５を経由して搬送されてきた紙幣を一枚ずつ受け入れて堆積すると共に堆積した紙幣束を一括して搬送経路に送出する一時保留部３０と、釣銭としての紙幣を装置外に排出する出金保留部３５と、これらを制御する制御手段４０と、を備えている。
【００１７】
入金取込部４は一括投入された複数枚の紙幣を一枚ずつに分離しながら搬送経路５に送り出すための分離給送機構を備えている。
搬送機構１０は、入金取込部４から一枚ずつ給送された紙幣を所定のルートにて搬送することにより金種別に第１、又は第２の紙幣収納部２０、２５に送り込む仕分け搬送機能と、第１、又は第２の紙幣収納部２０、２５から夫々一枚ずつ繰り出されてきた紙幣を一時保留部３０内に順次搬送して堆積させる機能と、一時保留部３０から繰り出されてきた紙幣束を回収用の収納部を兼ねた第２の紙幣収納部２５に一括して送り込む一括搬送機能と、を併有している。制御手段４０からの制御によって各ローラ、ベルト、ゲート１１を切り替え駆動されることにより、所定のタイミングにて上記の各搬送機能を実現することができる。
【００１８】
第１の紙幣収納部２０は、第１の紙幣、例えば一万円紙幣専用であり、搬送経路５を経由して一旦受け入れた一万円紙幣を搬送経路５に一枚ずつ送出する還流機能を有している。
第２の紙幣収納部２５は、釣銭とした多用される第２の紙幣、例えば千円紙幣用であり、搬送経路５を経由して一旦受け入れた千円紙幣を搬送経路５に一枚ずつ送出するスイッチバック式の還流機能を有している。
一時保留部３０は、第１、及び第２の紙幣収納部２０、２５から夫々一枚ずつ繰り出されてきた紙幣を一枚ずつ受入れて所定の許容枚数だけ積層させる集積機能と、積層された紙幣束を一括して搬送経路５に繰り出す一括送出機能を有している。
本発明では、例えば第２の紙幣収納部２５をカセット式に着脱自在（出入れ自在を含む）に構成し、第２の紙幣収納部２５と対面する外装体３の壁部に設けた図示しないドアを開放することによって第２の紙幣収納部２５を取出し、収納された紙幣を回収できるように構成されている。
【００１９】
本発明の特徴は、終業時における紙幣回収作業において作業者が所定の回収スイッチを操作することにより、制御手段４０が、第１の紙幣収納部２０内の一万円紙幣を一枚ずつ搬送経路５に送出して搬送機構１０によって高速搬送することにより一時保留部３０に所定枚数（例えば、１５枚）堆積させた後で、一時保留部内の１５枚の一万円紙幣束を第２の紙幣収納部２５内に一括搬送する動作を繰り返すことにより、第１の紙幣収納部２０内に収容された全ての一万円紙幣を第２の紙幣収納部２５に移送するようにした構成にある。一時保留部３０に送り込まれる紙幣の枚数は、搬送経路等の適所に配置した通紙センサによって検知された通過情報にもとづいてカウントされる。
この実施形態では、第２の紙幣収納部２５を回収紙幣収納部として兼用しており、終業時に第２の紙幣収納部２５内に第１及び第２の紙幣を全て回収することにより、一括した回収作業を実施することが可能となる。従って、第２の紙幣収納部２５は装置本体内から着脱可能、或いは出入れ可能なカセットタイプに構成することが好ましい。利用者によって投入される紙幣としては勿論、釣銭として使用される紙幣としても使用頻度の高い千円紙幣を収容する第２の紙幣収納部２５を紙幣回収用の収納部として兼用し、且つ一万円紙幣等の使用頻度の低い紙幣をこの第２の紙幣収納部２５に移送する構成とすることにより、回収時間を短縮することが可能となる。
【００２０】
一時保留部３０は一枚ずつ高速搬送されてくる紙幣を積層状態で集積させると共に、積層した紙幣束を一括して搬送経路に送り出すための構成を有しており、搬送経路に送出された紙幣束は第２の紙幣収納部２５内に一括して送り込まれるため回収効率を大幅に高めることができる。つまり、収納枚数が少ない第１の紙幣収納部内の一万円紙幣を一時保留部３０に積層して収納した後で紙幣束として一括して第２の紙幣収納部内に移送するため、一枚ずつ回収する従来装置に比して回収時間が大幅に短縮することが明かである。しかも、専用の回収紙幣収納部を別設するわけではないから装置の全体サイズを小さくすることができる。
【００２１】
この実施形態に係る紙幣処理装置によれば、金種別のスイッチバック還流式紙幣収納部を併設した構成において、一方の紙幣収納部に収納されている紙幣を他方の紙幣収納部に回収するに際し、一時保留部を介在させた一括搬送を実施するようにしたので、装置の大型化を招くことなく、移送処理時間を短縮することができる。即ち、還流式紙幣収納部よりも構成が簡素な一時保留部を用い、移送すべき収納紙幣を一時保留部へ１枚ずつ送り込んで所定枚数集積させ、集積した紙幣束をそのまま同じ搬送経路上に繰出して、回収紙幣収納部を兼ねた紙幣収納部に束搬送するようにしたので、紙幣の移送処理にかかる時間を短縮することができる。
【００２２】
次に、図２は本発明の一実施形態に係る紙葉束搬送機構（紙幣束搬送機構）の構成説明図である。
この紙幣束搬送機構６０は、複数のローラ６２、及び複数のローラ７２によってエンドレスに張設され、且つ一方向、又は双方向に駆動されることによって走行する内側ベルト６３を有した内側ベルトユニット６１と、内側ベルト６３の外側走行面６３ａに近接配置されて同方向に走行する内側走行面７３ａを有した外側ベルト７３、及び外側ベルト７３をエンドレスに張設する複数のローラ７２を有した外側ベルトユニット７１と、を備え、内側ベルト６３と外側ベルト７３との間、及び内側ベルト６３とガイド部材８０との間に夫々形成される搬送領域Ｔによって紙葉束を挟持しつつ搬送する。
搬送領域Ｔは、反転ローラ６２ａの外周に巻掛けられた内側ベルト６３とガイド部材８０との間に形成されるＵ字搬送領域Ｔ１と、反転ローラ６２ａの上流側、及び下流側において内外ベルト間に夫々形成される直線搬送領域Ｔ２と、から構成されている。
【００２３】
即ち、本実施形態では、内側ベルトユニット６１を構成する反転ローラ６２ａによって形成されるＵ字状反転経路Ｕ中に外側ベルト７３が存在しない開放部Ｏを設け、開放部Ｏには反転ローラ６２ａの外周面と対向する円弧状のガイド部材８０を配置している。反転ローラ６２ａの外周面に巻掛けられた内側ベルト６３と、ガイド部材８０との間に所定の円弧状搬送空間からなるＵ字状搬送領域Ｔ２が形成される。
反転ローラ６２ａの外周面に開放部Ｏを形成するために、開放部Ｏを間に挟んで２つのローラ７２ａ、７２ｂを所要距離だけ離間させて対向配置すると共に、各ローラ７２ａ、７２ｂに対して夫々２つの外側ベルト７３Ａ、７３Ｂを巻き掛けている。外側ベルト７３Ａ、７３Ｂはエンドレスベルトであり、図示しない他のローラ群との協働によってエンドレスに張設され、駆動される。
【００２４】
湾曲したガイド部材８０は、板材等によって構成されており、反転ローラ６２ａの外周面との間に円弧状の搬送空間を形成することによって上流側の直線搬送領域Ｔ２から搬送されてきた紙幣束を下流側の直線搬送領域Ｔ２へ受け渡す際の方向付けを行うガイドとなる。各外側ベルト７３とガイド部材８０とは干渉しないように配置される。例えば、各外側ベルト７３を複数本の平行な細幅ベルトから構成し、各細幅ベルト間のスペース内に細幅板状のガイド部材８０を配置するようにする。
なお、内側ベルト６３、及び外側ベルト７３を正逆転させることにより、紙幣束Ｓを双方向に搬送可能に構成する搬送機構に対して本発明を適用してもよい。
【００２５】
このように開放部Ｏ内には、内側ベルト６３よりも周速が速くなる外側ベルト７３が存在しないので、従来のように一本の外側ベルトが反転ローラ外周に沿って配設されている場合に発生していた内外ベルトの周速差（主として直線搬送領域における周速差）に起因した紙幣束の変形（束形状の崩れ）を無くすることができる。
なお、搬送空間内に送り込まれてきた紙幣束Ｓは当初は上流側の直線搬送領域Ｔ２の搬送力により搬送され、紙幣束が下流側の直線搬送領域Ｔ２にニップされた後では専ら下流側の直線搬送領域Ｔ２の搬送力によって搬送されることとなる。従って、外側ベルトが反転ローラ６２ａの外周面において内側ベルトの外側面に接して走行する距離が短くなり、その結果として外側ベルトが内側ベルトよりも増速するという不具合がなくなる。
なお、本発明の搬送機構は紙幣のみならず、紙葉を束搬送する紙葉類搬送装置一般に適用することができる。
【００２６】
本発明の紙幣束搬送機構は、図１に示した如く還流式紙幣収納部の一つを回収用として兼用するタイプの紙幣処理装置のみならず、還流式紙幣収納部とは別個に紙幣回収専用のカセットを備えたタイプの紙幣処理装置の紙幣束搬送機構、その他、ローラとベルトから成る紙幣束搬送機構一般に適用することができることは言うまでもない。
【図面の簡単な説明】
【００２７】
【図１】本発明の一実施形態に係る紙幣処理装置の概略構成図である。
【図２】本発明の一実施形態に係る紙葉束搬送機構（紙幣束搬送機構）の構成説明図である。
【図３】従来のスイッチバック方式の還流式紙幣処理装置の構成を示す説明図である。
【図４】他の従来例の構成説明図である。
【図５】（ａ）及び（ｂ）は他の従来例の説明図である。
【符号の説明】
【００２８】
１…紙幣処理装置、２…紙幣処理機構、３…外装体、４…入金取込部、５…搬送経路、１０…搬送機構、１１…ゲート、１５…識別装置、２０、２５…紙幣収納部、３０…一時保留部、３５…出金保留部、４０…制御手段、６０…紙幣束搬送機構、６１…内側ベルトユニット、６２…ローラ、６２ａ…反転ローラ、６３…内側ベルト、６３ａ…外側走行面、７１…外側ベルトユニット、７２…ローラ、７３…外側ベルト、７３ａ…内側走行面、Ｔ１…Ｕ字搬送領域、Ｔ２…直線搬送領域、８０…ガイド部材。
【図１】
2008146256.tif 000003
【図２】
2008146256.tif 000004
【図３】
2008146256.tif 000005
【図４】
2008146256.tif 000006
【図５】
2008146256.tif 000007